(57)【要約】  【課題】  ディスク装置の記録再生を安定化できる光ピックアップを提供する。  【解決手段】  対物レンズ２の周縁部に設けられたコバ３の底面が当接されるレンズホルダ１が有する載置部１ｂの四隅に突部１ｃが突設される。突部１ｃは、コバ３の外側面３ａが当接される位置決め面１ｄと、該位置決め面１ｄに隣接する凹部１ｅとを有する。また、凹部１ｅの下方には、その一部がコバ３の底面の一部の下方に位置するよう凹部１ｇが設けられ、接着剤が凹部１ｅおよび凹部１ｇに注入され、コバ３とレンズホルダ１が接着される。【選択図】      図２
2007058916.tif 000002
【特許請求の範囲】
【請求項１】
周縁部にコバが設けられた対物レンズと、レンズホルダとを備え、
前記レンズホルダは、前記コバの底面が当接される載置部と、該載置部に設けられた突
部とを有し、
前記突部は、前記対物レンズの位置決めのため前記コバの外側面が当接される位置決め
面と、該位置決め面に隣接して前記コバの外側面より前記対物レンズから離れる方向にく
ぼんだ第一の凹部とを有し、
前記第一の凹部の下方に位置し、前記コバの底面の一部の下方にその一部が位置するよ
うな第二の凹部が前記載置部に形成され、
接着剤が前記第一の凹部および前記第二の凹部に注入されていることを特徴とする光ピ
ックアップ。
【請求項２】
周縁部にコバが設けられた対物レンズと、前記コバと接着されるレンズホルダとを備え
、
前記コバにおける接着面は前記コバの外側面および前記コバの底面であることを特徴と
する光ピックアップ。
【発明の詳細な説明】
【技術分野】
【０００１】
本発明は光ピックアップに関し、特に、レンズホルダによる対物レンズの保持構造に関
するものである。
【背景技術】
【０００２】
ディスク装置には光ピックアップが設けられており、光ピックアップからレーザをディ
スクに照射させることでディスクを用いたデータの記録再生が行われる。光ピックアップ
は、レーザをディスクに集光させる対物レンズと、該対物レンズを保持するレンズホルダ
とを備えており、レンズホルダによる対物レンズの保持構造について従来から様々開発さ
れてきている。
【０００３】
例えば、特許文献１には、レンズホルダが有する載置部に対物レンズを載せ、対物レン
ズをプロテクタで覆い、レンズホルダ、対物レンズ、プロテクタを接着する構造において
、プロテクタに切り欠き部を設ける構造が開示されている。これにより、接着剤注入のバ
ラツキにより接着剤がプロテクタ上面まで溢れるのを防止できる。
【０００４】
また、特許文献２には、対物レンズの周縁部に設けられたコバを載置するレンズホルダ
が有する載置部から外周側に突出する一対の壁部を設け、これらの壁部の間に載置部に対
してディスクから離れる方向の段差を設け、この段差に接着剤を盛ってコバの周側面と載
置部を接着する構造が開示されている。これにより、接着剤をコバの厚みを越えないよう
盛ることができ、対物レンズの表面に接着剤が付着するのを防止できる。
【特許文献１】特開２００５−１２２８３３号公報
【特許文献２】特開２００３−２４８９６５号公報
【発明の開示】
【発明が解決しようとする課題】
【０００５】
しかし、上記特許文献１および特許文献２の接着構造では、対物レンズのコバの外側面
にしか接着面がないため（特許文献１の図４、特許文献２の図３参照）、接着強度が小さ
く、光ピックアップのフォーカス動作やトラッキング動作時にレンズホルダが動き対物レ
ンズに不要な共振が発生し、ディスク装置の記録再生に悪影響を及ぼすことがあるという
問題があった。
【０００６】
本発明は上記問題点を鑑みてなされたものであり、ディスク装置の記録再生を安定化で
きる光ピックアップを提供することを目的とする。
【課題を解決するための手段】
【０００７】
上記目的を達成するために本発明の光ピックアップは、周縁部にコバが設けられた対物
レンズと、前記コバと接着されるレンズホルダとを備え、前記コバにおける接着面は前記
コバの外側面および前記コバの底面であることを特徴としている。
【０００８】
このような構成によれば、接着面積が大きくなり接着強度が向上し、光ピックアップの
フォーカス動作やトラッキング動作時に対物レンズに不要な共振が発生するのを抑え、デ
ィスク装置の記録再生を安定化できる。
【０００９】
上記のような光ピックアップとしては例えば、前記レンズホルダは、前記コバの底面が
当接される載置部と、該載置部に設けられた突部とを有し、
前記突部は、前記対物レンズの位置決めのため前記コバの外側面が当接される位置決め
面と、該位置決め面に隣接して前記コバの外側面より前記対物レンズから離れる方向にく
ぼんだ第一の凹部とを有し、
前記第一の凹部の下方に位置し、前記コバの底面の一部の下方にその一部が位置するよ
うな第二の凹部が前記載置部に形成され、
接着剤が前記第一の凹部および前記第二の凹部に注入されている構造とすればよい。
【発明の効果】
【００１０】
本発明の光ピックアップによれば、ディスク装置の記録再生を安定化できる。
【発明を実施するための最良の形態】
【００１１】
以下、図面を参照しつつ本発明の一実施形態について説明する。図１は、本発明の光ピ
ックアップが有するレンズホルダの要部上面図である。図２は、図１のレンズホルダに対
物レンズを載置した状態を示す上面図である。図３は、図２のＡＡ線における断面図であ
る（ただし、接着剤４注入後の状態である）。
【００１２】
レンズホルダ１は、対物レンズ２の周縁部に設けられたコバ３の底面３ｂが当接される
載置部１ｂを有する。載置部１ｂの中央には対物レンズ２へレーザを入光させる孔である
開口部１ａが設けられる。
【００１３】
載置部１ｂの四隅には、突部１ｃが上方に突設される。突部１ｃは、対物レンズ２の位
置決めのためコバ３の外側面３ａが当接される位置決め面１ｄを有する。また、突部１ｃ
は、位置決め面１ｄに隣接してコバ３の外側面３ａより対物レンズ２から離れる方向にく
ぼんだ凹部１ｅを有する。凹部１ｅはコバ３の外側面３ａに対向する位置に傾斜面１ｆを
有する。傾斜面１ｆは、下方へ行くほど対物レンズ２内側へ傾くよう形成される。そして
、凹部１ｅの下方に位置し、コバ３の底面３ｂの一部の下方にその一部が位置するような
凹部１ｇが載置部１ｂに形成される。以上のような構造は載置部１ｂの四隅で同様である
。
【００１４】
このような構造において、凹部１ｅの上方から接着剤４を注入すると、凹部１ｅおよび
凹部１ｇが接着剤４で充満される。この状態で接着剤４に紫外線を照射すると、接着剤４
が硬化し、コバ３とレンズホルダ１が接着される。このとき、コバ３における接着面は外
側面３ａのみならず、底面３ｂでもあるから、接着面積が大きくなり接着強度が向上する
。従って、光ピックアップのフォーカス動作やトラッキング動作時にレンズホルダ１が動
き対物レンズ２に不要な共振が発生するのを抑え、ディスク装置の記録再生を安定化でき
る。
【図面の簡単な説明】
【００１５】
【図１】は、本発明の光ピックアップが有するレンズホルダの要部上面図である。
【図２】は、図１のレンズホルダに対物レンズを載置した状態を示す上面図である。
【図３】は、図２のＡＡ線における断面図である（ただし、接着剤注入後）。
【符号の説明】
【００１６】
１    レンズホルダ
２    対物レンズ
３    コバ
４    接着剤
【図１】
2007058916.tif 000003
【図２】
2007058916.tif 000004
【図３】
2007058916.tif 000005